(57)【要約】【課題】本発明は車用芳香剤ケースを開示した。【解決手段】芳香剤ケースを含み、前記芳香剤ケースの中には上方に開口した円溝が設けられ、前記円溝の中には濃度機構が設けられ、前記濃度機構は前記円溝の左右端壁の中に位置している二つの弧形溝を含み、二つの前記弧形溝が前記円溝に関して左右に対称であり、前記弧形溝の中には弧形ブロックがスライドできるように設けられ、本装置は置くことが簡単で、異なる種類と匂いの芳香剤を保存でき、またいつでも変えることができ、またはいくつかの芳香剤を使って匂いを混合させることもでき、芳香剤を使い切った後、楽に変えることができ、装置の使用寿命を延ばす。【選択図】図１
2020164140.tif 000002
【特許請求の範囲】
【請求項１】
芳香剤ケースを含み、前記芳香剤ケースの中には上方に開口した円溝が設けられ、前記円溝の中には濃度機構が設けられ、前記濃度機構は前記円溝の左右端壁の中に位置している二つの弧形溝を含み、二つの前記弧形溝が前記円溝に関して左右に対称であり、前記弧形溝の中には弧形ブロックがスライドできるように設けられ、前記弧形ブロックのうち前記円溝に近接している端面にはもう一端が前記円溝の中に位置している細ロッドが固定的に連結され、二つの前記細ロッドの間には一つの調節軸が固定的に設けられ、前記調節軸の下端には円盤が固定され、前記円盤の中には六つの前記円盤の上下端面を貫通する通気溝が均一に分布され、前記調節軸の上端面には蓋が固定され、前記蓋の中には六つの前記蓋の上下端面を貫通する香り溝が左右に対称的に均一に分布され、前記蓋の上端面の右側には調節ロッドが固定され、前記円溝の左右端壁の中には指示ブロックが対称的に植設され、前記濃度機構を中心に六つの芳香剤機構が排列され、左側の芳香剤機構を例にし、左側の前記芳香剤機構は前記芳香剤ケースの中に位置しており、かつ下方に開口した保存溝を含み、前記保存溝の上端壁にはねじ山ブロックが固定的に設けられ、前記ねじ山ブロックには芳香剤ボトルがねじ山によって係合され、前記芳香剤ボトルの中には芳香剤溝が設けられ、前記芳香剤ボトルの右端壁には前記芳香剤溝に連通しているガイドパイプが植設され、前記保存溝の右端壁には前記ガイドパイプに連通しているソフトパイプが固定的に設けられ、前記ソフトパイプのもう一端と前記通気溝とがＬ型溝によって連通され、前記保存溝の上端壁には上方に開口した昇降溝が設けられ、前記昇降溝の中には下端が前記芳香剤溝の中に位置している昇降ロッドが設けられ、前記昇降ロッドの下端には前記芳香剤溝とスライドできるように連結された密封ブロックが固定的に設けられ、また、前記調節ロッドを押し、前記調節ロッドが前記蓋を回転連動させることができ、これにより通気溝を回転連動させ、前記Ｌ型溝の口の大きさを調節することを特徴とする車用芳香剤ケース。
【請求項２】
左側の前記芳香剤機構はまた前記昇降溝の上端壁に位置している回転溝を含み、前記回転溝の後端壁の中には磁性溝が設けられ、前記磁性溝の左右端壁には定位磁石が対称的に設けられ、前記磁性溝の後端壁には前端が前記回転溝の中に位置している回転軸が回転できるように設けられ、前記磁性溝の中の回転軸には移動磁石が固定的に設けられ、前記回転軸の前端には中空ブロックが固定的に設けられ、前記中空ブロックの上端面には開け溝が設けられ、前記中空ブロックの中には下方に開口した振り溝が設けられ、前記振り溝の後端壁には支え軸が回転できるように設けられ、前記支え軸には下端が前記昇降溝の中に位置している振りロッドが固定的に設けられ、前記振りロッドと前記昇降ロッドとが中間軸により回転できるように連結され、また、前記開け溝を押し、前記移動磁石を右側の定位磁石の吸引から離脱させ、かつ前記移動磁石を左側の定位磁石に吸引させることができることを特徴とする請求項１に記載の車用芳香剤ケース。
【請求項３】
前記芳香剤ケースの下側にはスタンドが設けられ、前記芳香剤ケースの中には下方に開口した底部溝が設けられ、前記スタンドの上端が前記底部溝の中に位置しており、前記スタンドの下端面にはゴム環が固定的に設けられ、前記スタンドの中には移動溝が左右に対称的に設けられ、左側の前記移動溝を例にし、左側の前記移動溝の右端面には三つの圧力バネが均一に固定的に設けられ、三つの前記圧力バネの左端には一つのＵ型ロッドが固定的に設けられ、前記底部溝の端壁にはリング溝が設けられ、前記底部溝の中のＵ型ロッドの左端が前記リング溝の中に位置しており、また、同時に左右側のＵ型ロッドを押し、前記スタンドを前記底部溝から取り出すことができることを特徴とする請求項１に記載の車用芳香剤ケース。
【発明の詳細な説明】
【技術分野】
【０００１】
本発明は車分野を取り上げて、具体的には車用芳香剤ケースである。
【背景技術】
【０００２】
車用芳香剤ケースは車内の空気を調節する道具であり、良い車用芳香剤ケースは良い運転の雰囲気を作ることができて運転者の気分を調節し、しかし現有のほとんどの車用芳香剤ケースの匂いが単一であり、長時間に使用した後に飽きやすく、また現有のほとんどの車用芳香剤ケースが使い捨て商品であり、比較的に浪費である。
【先行技術文献】
【特許文献】
【０００３】
【特許文献１】中国特許出願公開第１０７２８４１９５号明細書
【発明の概要】
【発明が解決しようとする課題】
【０００４】
本発明の目的は車用芳香剤ケースを提供し、それは上記の現在の技術中の問題を解決できる。
【課題を解決するための手段】
【０００５】
上記の課題を解決するため、本発明は以下の技術プランを採用する。
【０００６】
本発明の車用芳香剤ケースは、芳香剤ケースを含み、前記芳香剤ケースの中には上方に開口した円溝が設けられ、前記円溝の中には濃度機構が設けられ、前記濃度機構は前記円溝の左右端壁の中に位置している二つの弧形溝を含み、二つの前記弧形溝が前記円溝に関して左右に対称であり、前記弧形溝の中には弧形ブロックがスライドできるように設けられ、前記弧形ブロックのうち前記円溝に近接している端面にはもう一端が前記円溝の中に位置している細ロッドが固定的に連結され、二つの前記細ロッドの間には一つの調節軸が固定的に設けられ、前記調節軸の下端には円盤が固定され、前記円盤の中には六つの前記円盤の上下端面を貫通する通気溝が均一に分布され、前記調節軸の上端面には蓋が固定され、前記蓋の中には六つの前記蓋の上下端面を貫通する香り溝が左右に対称的に均一に分布され、前記蓋の上端面の右側には調節ロッドが固定され、前記円溝の左右端壁の中には指示ブロックが対称的に植設され、前記濃度機構を中心に六つの芳香剤機構が排列され、左側の芳香剤機構を例にし、左側の前記芳香剤機構は前記芳香剤ケースの中に位置しており、かつ下方に開口した保存溝を含み、前記保存溝の上端壁にはねじ山ブロックが固定的に設けられ、前記ねじ山ブロックには芳香剤ボトルがねじ山によって係合され、前記芳香剤ボトルの中には芳香剤溝が設けられ、前記芳香剤ボトルの右端壁には前記芳香剤溝に連通しているガイドパイプが植設され、前記保存溝の右端壁には前記ガイドパイプに連通しているソフトパイプが固定的に設けられ、前記ソフトパイプのもう一端と前記通気溝とがＬ型溝によって連通され、前記保存溝の上端壁には上方に開口した昇降溝が設けられ、前記昇降溝の中には下端が前記芳香剤溝の中に位置している昇降ロッドが設けられ、前記昇降ロッドの下端には前記芳香剤溝とスライドできるように連結された密封ブロックが固定的に設けられ、また、前記調節ロッドを押し、前記調節ロッドが前記蓋を回転連動させることができ、これにより通気溝を回転連動させ、前記Ｌ型溝の口の大きさを調節する。
【０００７】
有益的には、左側の前記芳香剤機構はまた前記昇降溝の上端壁に位置している回転溝を含み、前記回転溝の後端壁の中には磁性溝が設けられ、前記磁性溝の左右端壁には定位磁石が対称的に設けられ、前記磁性溝の後端壁には前端が前記回転溝の中に位置している回転軸が回転できるように設けられ、前記磁性溝の中の回転軸には移動磁石が固定的に設けられ、前記回転軸の前端には中空ブロックが固定的に設けられ、前記中空ブロックの上端面には開け溝が設けられ、前記中空ブロックの中には下方に開口した振り溝が設けられ、前記振り溝の後端壁には支え軸が回転できるように設けられ、前記支え軸には下端が前記昇降溝の中に位置している振りロッドが固定的に設けられ、前記振りロッドと前記昇降ロッドとが中間軸により回転できるように連結され、また、前記開け溝を押し、前記移動磁石を右側の定位磁石の吸引から離脱させ、かつ前記移動磁石を左側の定位磁石に吸引させることができる。
【０００８】
有益的には、前記芳香剤ケースの下側にはスタンドが設けられ、前記芳香剤ケースの中には下方に開口した底部溝が設けられ、前記スタンドの上端が前記底部溝の中に位置しており、前記スタンドの下端面にはゴム環が固定的に設けられ、前記スタンドの中には移動溝が左右に対称的に設けられ、左側の前記移動溝を例にし、左側の前記移動溝の右端面には三つの圧力バネが均一に固定的に設けられ、三つの前記圧力バネの左端には一つのＵ型ロッドが固定的に設けられ、前記底部溝の端壁にはリング溝が設けられ、前記底部溝の中のＵ型ロッドの左端が前記リング溝の中に位置しており、また、同時に左右側のＵ型ロッドを押し、前記スタンドを前記底部溝から取り出すことができる。
【発明の効果】
【０００９】
本装置は置くことが簡単で、異なる種類と匂いの芳香剤を保存でき、またいつでも変えることができ、またはいくつかの芳香剤を使って匂いを混合させることもでき、使用者の嗅覚の楽しみを増え、また芳香剤が発揮する濃度を調節でき、異なる使用者の嗅覚感度に対応でき、芳香剤を使い切った後、楽に変えることができ、装置の使用寿命を延ばす。
【図面の簡単な説明】
【００１０】
以下、図１−５を合わせて本発明について詳しく説明し、また、説明の便利を図るため、下記に記載の上下左右前後方向が図１自身の投影関係の上下左右前後方向と一致することにする。
【００１１】
【図１】図１は本発明の車用芳香剤ケースの全体断面構成略図である；
【図２】図２は本発明の車用芳香剤ケースの昇降ロッドの構成略図である；
【図３】図３は本発明の車用芳香剤ケースの全体の上面構成略図である；
【図４】図４は本発明の車用芳香剤ケースの中空ブロックの上面断面構成略図である；
【図５】図５は本発明の車用芳香剤ケースのの細ロッドの上面断面部分構成略図である。
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１−５を参照し、本発明の車用芳香剤ケースは、芳香剤ケース１０を含み、前記芳香剤ケース１０の中には上方に開口した円溝４６が設けられ、前記円溝４６の中には濃度機構６１が設けられ、前記濃度機構６１は前記円溝４６の左右端壁の中に位置している二つの弧形溝１１を含み、二つの前記弧形溝１１が前記円溝４６に関して左右に対称であり、前記弧形溝１１の中には弧形ブロック１２がスライドできるように設けられ、前記弧形ブロック１２のうち前記円溝４６に近接している端面にはもう一端が前記円溝４６の中に位置している細ロッド１８が固定的に連結され、二つの前記細ロッド１８の間には一つの調節軸１５が固定的に設けられ、前記調節軸１５の下端には円盤２０が固定され、前記円盤２０の中には六つの前記円盤２０の上下端面を貫通する通気溝１９が均一に分布され、前記調節軸１５の上端面には蓋１４が固定され、前記蓋１４の中には六つの前記蓋１４の上下端面を貫通する香り溝１３が左右に対称的に均一に分布され、前記蓋１４の上端面の右側には調節ロッド１６が固定され、前記円溝４６の左右端壁の中には指示ブロック１７が対称的に植設され、前記濃度機構６１を中心に六つの芳香剤機構６０が排列され、左側の芳香剤機構６０を例にし、左側の前記芳香剤機構６０は前記芳香剤ケース１０の中に位置しており、かつ下方に開口した保存溝２２を含み、前記保存溝２２の上端壁にはねじ山ブロック３８が固定的に設けられ、前記ねじ山ブロック３８には芳香剤ボトル４５がねじ山によって係合され、前記芳香剤ボトル４５の中には芳香剤溝４４が設けられ、前記芳香剤ボトル４５の右端壁には前記芳香剤溝４４に連通しているガイドパイプ４２が植設され、前記保存溝２２の右端壁には前記ガイドパイプ４２に連通しているソフトパイプ２１が固定的に設けられ、前記ソフトパイプ２１のもう一端と前記通気溝１９とがＬ型溝２３によって連通され、前記保存溝２２の上端壁には上方に開口した昇降溝３９が設けられ、前記昇降溝３９の中には下端が前記芳香剤溝４４の中に位置している昇降ロッド４１が設けられ、前記昇降ロッド４１の下端には前記芳香剤溝４４とスライドできるように連結された密封ブロック４３が固定的に設けられ、また、前記調節ロッド１６を押し、前記調節ロッド１６が前記蓋１４を回転連動させることができ、これにより通気溝１９を回転連動させ、前記Ｌ型溝２３の口の大きさを調節する。
【００１４】
有益的には、左側の前記芳香剤機構６０はまた前記昇降溝３９の上端壁に位置している回転溝３７を含み、前記回転溝３７の後端壁の中には磁性溝４８が設けられ、前記磁性溝４８の左右端壁には定位磁石４９が対称的に設けられ、前記磁性溝４８の後端壁には前端が前記回転溝３７の中に位置している回転軸４７が回転できるように設けられ、前記磁性溝４８の中の回転軸４７には移動磁石５０が固定的に設けられ、前記回転軸４７の前端には中空ブロック３６が固定的に設けられ、前記中空ブロック３６の上端面には開け溝３４が設けられ、前記中空ブロック３６の中には下方に開口した振り溝３３が設けられ、前記振り溝３３の後端壁には支え軸３５が回転できるように設けられ、前記支え軸３５には下端が前記昇降溝３９の中に位置している振りロッド３２が固定的に設けられ、前記振りロッド３２と前記昇降ロッド４１とが中間軸４０により回転できるように連結され、また、前記開け溝３４を押し、前記移動磁石５０を右側の定位磁石４９の吸引から離脱させ、かつ前記移動磁石５０を左側の定位磁石４９に吸引させることができる。
【００１５】
有益的には、前記芳香剤ケース１０の下側にはスタンド２６が設けられ、前記芳香剤ケース１０の中には下方に開口した底部溝２５が設けられ、前記スタンド２６の上端が前記底部溝２５の中に位置しており、前記スタンド２６の下端面にはゴム環２９が固定的に設けられ、前記スタンド２６の中には移動溝２８が左右に対称的に設けられ、左側の前記移動溝２８を例にし、左側の前記移動溝２８の右端面には三つの圧力バネ２７が均一に固定的に設けられ、三つの前記圧力バネ２７の左端には一つのＵ型ロッド３０が固定的に設けられ、前記底部溝２５の端壁にはリング溝２４が設けられ、前記底部溝２５の中のＵ型ロッド３０の左端が前記リング溝２４の中に位置しており、また、同時に左右側のＵ型ロッド３０を押し、前記スタンド２６を前記底部溝２５から取り出すことができる。
【００１６】
以下、図１−５及び上記説明した車用芳香剤ケースの具体的な構成を参照し、本申請の車用芳香剤ケースの使用方法を説明する：初期状態では、密封ブロック４３の下側の芳香剤溝４４の中には違う芳香剤が保存されている；
【００１７】
装置を車内の涼しいところに置き、開け溝３４を押し、中空ブロック３６を回転連動させることができ、前記移動磁石５０を一つの定位磁石４９の吸引から離脱させ、かつ前記移動磁石５０をもう一つの定位磁石４９に吸引させ、中空ブロック３６が振りロッド３２を振り連動させ、これにより昇降ロッド４１を上昇連動させ、ガイドパイプ４２を密封ブロック４３の下側の芳香剤溝４４に連通させ、芳香剤が自ら揮発し、Ｌ型溝２３と通気溝１９とを通して車内に漂い、調節ロッド１６を押して円盤２０を回転連動させることができ、これによりＬ型溝２３の口の大きさを調節でき、芳香剤が発揮する量を調節できる；
【００１８】
芳香剤が使い切った時に、同時に左右側のＵ型ロッド３０を押し、Ｕ型ロッド３０をリング溝２４から離れさせ、スタンド２６を底部溝２５から取り出し、そしてガイドパイプ４２をソフトパイプ２１から抜き出し、芳香剤ボトル４５を回し、芳香剤ボトル４５をねじ山ブロック３８から取り外し、芳香剤溝４４の中に芳香剤を入れることができる。
【００１９】
本発明の有益効果は：本装置は置くことが簡単で、異なる種類と匂いの芳香剤を保存でき、またいつでも変えることができ、またはいくつかの芳香剤を使って匂いを混合させることもでき、使用者の嗅覚の楽しみを増え、また芳香剤が発揮する濃度を調節でき、異なる使用者の嗅覚感度に対応でき、芳香剤を使い切った後、楽に変えることができ、装置の使用寿命を延ばす。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020164140.tif 000003
【図２】
2020164140.tif 000004
【図３】
2020164140.tif 000005
【図４】
2020164140.tif 000006
【図５】
2020164140.tif 000007
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
芳香剤ケースを含み、前記芳香剤ケースの中には上方に開口した円溝が設けられ、前記円溝の中には濃度機構が設けられ、前記濃度機構は前記円溝の左右端壁の中に位置している二つの弧形溝を含み、二つの前記弧形溝が前記円溝に関して左右に対称であり、前記弧形溝の中には弧形ブロックがスライドできるように設けられ、前記弧形ブロックのうち前記円溝に近接している端面にはもう一端が前記円溝の中に位置している細ロッドが固定的に連結され、二つの前記細ロッドの間には一つの調節軸が固定的に設けられ、前記調節軸の下端には円盤が固定され、前記円盤の中には六つの前記円盤の上下端面を貫通する通気溝が均一に分布され、前記調節軸の上端面には蓋が固定され、前記蓋の中には六つの前記蓋の上下端面を貫通する香り溝が左右に対称的に均一に分布され、前記蓋の上端面の右側には調節ロッドが固定され、前記円溝の左右端壁の中には指示ブロックが対称的に植設され、前記濃度機構を中心に六つの芳香剤機構が排列され、左側の前記芳香剤機構は前記芳香剤ケースの中に位置しており、かつ下方に開口した保存溝を含み、前記保存溝の上端壁にはねじ山ブロックが固定的に設けられ、前記ねじ山ブロックには芳香剤ボトルがねじ山によって係合され、前記芳香剤ボトルの中には芳香剤溝が設けられ、前記芳香剤ボトルの右端壁には前記芳香剤溝に連通しているガイドパイプが植設され、前記保存溝の右端壁には前記ガイドパイプに連通しているソフトパイプが固定的に設けられ、前記ソフトパイプのもう一端と前記通気溝とがＬ型溝によって連通され、前記保存溝の上端壁には上方に開口した昇降溝が設けられ、前記昇降溝の中には下端が前記芳香剤溝の中に位置している昇降ロッドが設けられ、前記昇降ロッドの下端には前記芳香剤溝とスライドできるように連結された密封ブロックが固定的に設けられ、また、前記調節ロッドを押し、前記調節ロッドが前記蓋を回転連動させることができ、これにより通気溝を回転連動させ、前記Ｌ型溝の口の大きさを調節することを特徴とする車用芳香剤ケース。
【請求項２】
左側の前記芳香剤機構はまた前記昇降溝の上端壁に位置している回転溝を含み、前記回転溝の後端壁の中には磁性溝が設けられ、前記磁性溝の左右端壁には定位磁石が対称的に設けられ、前記磁性溝の後端壁には前端が前記回転溝の中に位置している回転軸が回転できるように設けられ、前記磁性溝の中の回転軸には移動磁石が固定的に設けられ、前記回転軸の前端には中空ブロックが固定的に設けられ、前記中空ブロックの上端面には開け溝が設けられ、前記中空ブロックの中には下方に開口した振り溝が設けられ、前記振り溝の後端壁には支え軸が回転できるように設けられ、前記支え軸には下端が前記昇降溝の中に位置している振りロッドが固定的に設けられ、前記振りロッドと前記昇降ロッドとが中間軸により回転できるように連結され、また、前記開け溝を押し、前記移動磁石を右側の定位磁石の吸引から離脱させ、かつ前記移動磁石を左側の定位磁石に吸引させることができることを特徴とする請求項１に記載の車用芳香剤ケース。
【請求項３】
前記芳香剤ケースの下側にはスタンドが設けられ、前記芳香剤ケースの中には下方に開口した底部溝が設けられ、前記スタンドの上端が前記底部溝の中に位置しており、前記スタンドの下端面にはゴム環が固定的に設けられ、前記スタンドの中には移動溝が左右に対称的に設けられ、左側の前記移動溝の右端面には三つの圧力バネが均一に固定的に設けられ、三つの前記圧力バネの左端には一つのＵ型ロッドが固定的に設けられ、前記底部溝の端壁にはリング溝が設けられ、前記底部溝の中のＵ型ロッドの左端が前記リング溝の中に位置しており、また、同時に左右側のＵ型ロッドを押し、前記スタンドを前記底部溝から取り出すことができることを特徴とする請求項１に記載の車用芳香剤ケース。
【手続補正２】
【補正対象書類名】明細書
【補正対象項目名】全文
【補正方法】変更
【補正の内容】
【発明の詳細な説明】
【技術分野】
【０００１】
本発明は車分野を取り上げて、具体的には車用芳香剤ケースである。
【背景技術】
【０００２】
車用芳香剤ケースは車内の空気を調節する道具であり、良い車用芳香剤ケースは良い運転の雰囲気を作ることができて運転者の気分を調節し、しかし現有のほとんどの車用芳香剤ケースの匂いが単一であり、長時間に使用した後に飽きやすく、また現有のほとんどの車用芳香剤ケースが使い捨て商品であり、比較的に浪費である。
【先行技術文献】
【特許文献】
【０００３】
【特許文献１】中国特許出願公開第１０７２８４１９５号明細書
【発明の概要】
【発明が解決しようとする課題】
【０００４】
本発明の目的は車用芳香剤ケースを提供し、それは上記の現在の技術中の問題を解決できる。
【課題を解決するための手段】
【０００５】
上記の課題を解決するため、本発明は以下の技術プランを採用する。
【０００６】
本発明の車用芳香剤ケースは、芳香剤ケースを含み、前記芳香剤ケースの中には上方に開口した円溝が設けられ、前記円溝の中には濃度機構が設けられ、前記濃度機構は前記円溝の左右端壁の中に位置している二つの弧形溝を含み、二つの前記弧形溝が前記円溝に関して左右に対称であり、前記弧形溝の中には弧形ブロックがスライドできるように設けられ、前記弧形ブロックのうち前記円溝に近接している端面にはもう一端が前記円溝の中に位置している細ロッドが固定的に連結され、二つの前記細ロッドの間には一つの調節軸が固定的に設けられ、前記調節軸の下端には円盤が固定され、前記円盤の中には六つの前記円盤の上下端面を貫通する通気溝が均一に分布され、前記調節軸の上端面には蓋が固定され、前記蓋の中には六つの前記蓋の上下端面を貫通する香り溝が左右に対称的に均一に分布され、前記蓋の上端面の右側には調節ロッドが固定され、前記円溝の左右端壁の中には指示ブロックが対称的に植設され、前記濃度機構を中心に六つの芳香剤機構が排列され、左側の前記芳香剤機構は前記芳香剤ケースの中に位置しており、かつ下方に開口した保存溝を含み、前記保存溝の上端壁にはねじ山ブロックが固定的に設けられ、前記ねじ山ブロックには芳香剤ボトルがねじ山によって係合され、前記芳香剤ボトルの中には芳香剤溝が設けられ、前記芳香剤ボトルの右端壁には前記芳香剤溝に連通しているガイドパイプが植設され、前記保存溝の右端壁には前記ガイドパイプに連通しているソフトパイプが固定的に設けられ、前記ソフトパイプのもう一端と前記通気溝とがＬ型溝によって連通され、前記保存溝の上端壁には上方に開口した昇降溝が設けられ、前記昇降溝の中には下端が前記芳香剤溝の中に位置している昇降ロッドが設けられ、前記昇降ロッドの下端には前記芳香剤溝とスライドできるように連結された密封ブロックが固定的に設けられ、また、前記調節ロッドを押し、前記調節ロッドが前記蓋を回転連動させることができ、これにより通気溝を回転連動させ、前記Ｌ型溝の口の大きさを調節する。
【０００７】
有益的には、左側の前記芳香剤機構はまた前記昇降溝の上端壁に位置している回転溝を含み、前記回転溝の後端壁の中には磁性溝が設けられ、前記磁性溝の左右端壁には定位磁石が対称的に設けられ、前記磁性溝の後端壁には前端が前記回転溝の中に位置している回転軸が回転できるように設けられ、前記磁性溝の中の回転軸には移動磁石が固定的に設けられ、前記回転軸の前端には中空ブロックが固定的に設けられ、前記中空ブロックの上端面には開け溝が設けられ、前記中空ブロックの中には下方に開口した振り溝が設けられ、前記振り溝の後端壁には支え軸が回転できるように設けられ、前記支え軸には下端が前記昇降溝の中に位置している振りロッドが固定的に設けられ、前記振りロッドと前記昇降ロッドとが中間軸により回転できるように連結され、また、前記開け溝を押し、前記移動磁石を右側の定位磁石の吸引から離脱させ、かつ前記移動磁石を左側の定位磁石に吸引させることができる。
【０００８】
有益的には、前記芳香剤ケースの下側にはスタンドが設けられ、前記芳香剤ケースの中には下方に開口した底部溝が設けられ、前記スタンドの上端が前記底部溝の中に位置しており、前記スタンドの下端面にはゴム環が固定的に設けられ、前記スタンドの中には移動溝が左右に対称的に設けられ、左側の前記移動溝の右端面には三つの圧力バネが均一に固定的に設けられ、三つの前記圧力バネの左端には一つのＵ型ロッドが固定的に設けられ、前記底部溝の端壁にはリング溝が設けられ、前記底部溝の中のＵ型ロッドの左端が前記リング溝の中に位置しており、また、同時に左右側のＵ型ロッドを押し、前記スタンドを前記底部溝から取り出すことができる。
【発明の効果】
【０００９】
本装置は置くことが簡単で、異なる種類と匂いの芳香剤を保存でき、またいつでも変えることができ、またはいくつかの芳香剤を使って匂いを混合させることもでき、使用者の嗅覚の楽しみを増え、また芳香剤が発揮する濃度を調節でき、異なる使用者の嗅覚感度に対応でき、芳香剤を使い切った後、楽に変えることができ、装置の使用寿命を延ばす。
【図面の簡単な説明】
【００１０】
以下、図１−５を合わせて本発明について詳しく説明し、また、説明の便利を図るため、下記に記載の上下左右前後方向が図１自身の投影関係の上下左右前後方向と一致することにする。
【００１１】
【図１】図１は本発明の車用芳香剤ケースの全体断面構成略図
【図２】図２は本発明の車用芳香剤ケースの昇降ロッドの構成略図
【図３】図３は本発明の車用芳香剤ケースの全体の上面構成略図
【図４】図４は本発明の車用芳香剤ケースの中空ブロックの上面断面構成略図
【図５】図５は本発明の車用芳香剤ケースのの細ロッドの上面断面部分構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１−５を参照し、本発明の車用芳香剤ケースは、芳香剤ケース１０を含み、前記芳香剤ケース１０の中には上方に開口した円溝４６が設けられ、前記円溝４６の中には濃度機構６１が設けられ、前記濃度機構６１は前記円溝４６の左右端壁の中に位置している二つの弧形溝１１を含み、二つの前記弧形溝１１が前記円溝４６に関して左右に対称であり、前記弧形溝１１の中には弧形ブロック１２がスライドできるように設けられ、前記弧形ブロック１２のうち前記円溝４６に近接している端面にはもう一端が前記円溝４６の中に位置している細ロッド１８が固定的に連結され、二つの前記細ロッド１８の間には一つの調節軸１５が固定的に設けられ、前記調節軸１５の下端には円盤２０が固定され、前記円盤２０の中には六つの前記円盤２０の上下端面を貫通する通気溝１９が均一に分布され、前記調節軸１５の上端面には蓋１４が固定され、前記蓋１４の中には六つの前記蓋１４の上下端面を貫通する香り溝１３が左右に対称的に均一に分布され、前記蓋１４の上端面の右側には調節ロッド１６が固定され、前記円溝４６の左右端壁の中には指示ブロック１７が対称的に植設され、前記濃度機構６１を中心に六つの芳香剤機構６０が排列され、左側の前記芳香剤機構６０は前記芳香剤ケース１０の中に位置しており、かつ下方に開口した保存溝２２を含み、前記保存溝２２の上端壁にはねじ山ブロック３８が固定的に設けられ、前記ねじ山ブロック３８には芳香剤ボトル４５がねじ山によって係合され、前記芳香剤ボトル４５の中には芳香剤溝４４が設けられ、前記芳香剤ボトル４５の右端壁には前記芳香剤溝４４に連通しているガイドパイプ４２が植設され、前記保存溝２２の右端壁には前記ガイドパイプ４２に連通しているソフトパイプ２１が固定的に設けられ、前記ソフトパイプ２１のもう一端と前記通気溝１９とがＬ型溝２３によって連通され、前記保存溝２２の上端壁には上方に開口した昇降溝３９が設けられ、前記昇降溝３９の中には下端が前記芳香剤溝４４の中に位置している昇降ロッド４１が設けられ、前記昇降ロッド４１の下端には前記芳香剤溝４４とスライドできるように連結された密封ブロック４３が固定的に設けられ、また、前記調節ロッド１６を押し、前記調節ロッド１６が前記蓋１４を回転連動させることができ、これにより通気溝１９を回転連動させ、前記Ｌ型溝２３の口の大きさを調節する。
【００１４】
有益的には、左側の前記芳香剤機構６０はまた前記昇降溝３９の上端壁に位置している回転溝３７を含み、前記回転溝３７の後端壁の中には磁性溝４８が設けられ、前記磁性溝４８の左右端壁には定位磁石４９が対称的に設けられ、前記磁性溝４８の後端壁には前端が前記回転溝３７の中に位置している回転軸４７が回転できるように設けられ、前記磁性溝４８の中の回転軸４７には移動磁石５０が固定的に設けられ、前記回転軸４７の前端には中空ブロック３６が固定的に設けられ、前記中空ブロック３６の上端面には開け溝３４が設けられ、前記中空ブロック３６の中には下方に開口した振り溝３３が設けられ、前記振り溝３３の後端壁には支え軸３５が回転できるように設けられ、前記支え軸３５には下端が前記昇降溝３９の中に位置している振りロッド３２が固定的に設けられ、前記振りロッド３２と前記昇降ロッド４１とが中間軸４０により回転できるように連結され、また、前記開け溝３４を押し、前記移動磁石５０を右側の定位磁石４９の吸引から離脱させ、かつ前記移動磁石５０を左側の定位磁石４９に吸引させることができる。
【００１５】
有益的には、前記芳香剤ケース１０の下側にはスタンド２６が設けられ、前記芳香剤ケース１０の中には下方に開口した底部溝２５が設けられ、前記スタンド２６の上端が前記底部溝２５の中に位置しており、前記スタンド２６の下端面にはゴム環２９が固定的に設けられ、前記スタンド２６の中には移動溝２８が左右に対称的に設けられ、左側の前記移動溝２８の右端面には三つの圧力バネ２７が均一に固定的に設けられ、三つの前記圧力バネ２７の左端には一つのＵ型ロッド３０が固定的に設けられ、前記底部溝２５の端壁にはリング溝２４が設けられ、前記底部溝２５の中のＵ型ロッド３０の左端が前記リング溝２４の中に位置しており、また、同時に左右側のＵ型ロッド３０を押し、前記スタンド２６を前記底部溝２５から取り出すことができる。
【００１６】
以下、図１−５及び上記説明した車用芳香剤ケースの具体的な構成を参照し、本申請の車用芳香剤ケースの使用方法を説明する：初期状態では、密封ブロック４３の下側の芳香剤溝４４の中には違う芳香剤が保存されている。
【００１７】
装置を車内の涼しいところに置き、開け溝３４を押し、中空ブロック３６を回転連動させることができ、前記移動磁石５０を一つの定位磁石４９の吸引から離脱させ、かつ前記移動磁石５０をもう一つの定位磁石４９に吸引させ、中空ブロック３６が振りロッド３２を振り連動させ、これにより昇降ロッド４１を上昇連動させ、ガイドパイプ４２を密封ブロック４３の下側の芳香剤溝４４に連通させ、芳香剤が自ら揮発し、Ｌ型溝２３と通気溝１９とを通して車内に漂い、調節ロッド１６を押して円盤２０を回転連動させることができ、これによりＬ型溝２３の口の大きさを調節でき、芳香剤が発揮する量を調節できる。
【００１８】
芳香剤が使い切った時に、同時に左右側のＵ型ロッド３０を押し、Ｕ型ロッド３０をリング溝２４から離れさせ、スタンド２６を底部溝２５から取り出し、そしてガイドパイプ４２をソフトパイプ２１から抜き出し、芳香剤ボトル４５を回し、芳香剤ボトル４５をねじ山ブロック３８から取り外し、芳香剤溝４４の中に芳香剤を入れることができる。
【００１９】
本発明の有益効果は：本装置は置くことが簡単で、異なる種類と匂いの芳香剤を保存でき、またいつでも変えることができ、またはいくつかの芳香剤を使って匂いを混合させることもでき、使用者の嗅覚の楽しみを増え、また芳香剤が発揮する濃度を調節でき、異なる使用者の嗅覚感度に対応でき、芳香剤を使い切った後、楽に変えることができ、装置の使用寿命を延ばす。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
芳香剤ケースを含み、前記芳香剤ケースの中には上方に開口した円溝が設けられ、前記円溝の中には濃度機構が設けられ、前記濃度機構は前記円溝の左右端壁の中に位置している二つの弧形溝を含み、二つの前記弧形溝が前記円溝に関して左右に対称であり、前記弧形溝の中には弧形ブロックがスライドできるように設けられ、前記弧形ブロックのうち前記円溝に近接している端面にはもう一端が前記円溝の中に位置している細ロッドが固定的に連結され、二つの前記細ロッドの間には一つの調節軸が固定的に設けられ、前記調節軸の下端には円盤が固定され、前記円盤の中には六つの前記円盤の上下端面を貫通する通気溝が均一に分布され、前記調節軸の上端面には蓋が固定され、前記蓋の中には六つの前記蓋の上下端面を貫通する香り溝が左右に対称的に均一に分布され、前記蓋の上端面の右側には調節ロッドが固定され、前記円溝の左右端壁の中には指示ブロックが対称的に植設され、前記濃度機構を中心に六つの芳香剤機構が排列され、前記円溝の左側に位置する前記芳香剤機構は前記芳香剤ケースの中に位置しており、かつ下方に開口した保存溝を含み、前記保存溝の上端壁にはねじ山ブロックが固定的に設けられ、前記ねじ山ブロックには芳香剤ボトルがねじ山によって係合され、前記芳香剤ボトルの中には芳香剤溝が設けられ、前記芳香剤ボトルの右端壁には前記芳香剤溝に連通しているガイドパイプが植設され、前記保存溝の右端壁には前記ガイドパイプに連通しているソフトパイプが固定的に設けられ、前記ソフトパイプのもう一端と前記通気溝とがＬ型溝によって連通され、前記保存溝の上端壁には上方に開口した昇降溝が設けられ、前記昇降溝の中には下端が前記芳香剤溝の中に位置している昇降ロッドが設けられ、前記昇降ロッドの下端には前記芳香剤溝とスライドできるように連結された密封ブロックが固定的に設けられ、前記円溝の右側にも前記芳香剤機構が対応的に設置され、また、前記調節ロッドを押し、前記調節ロッドが前記蓋を回転連動させることができ、これにより通気溝を回転連動させ、前記Ｌ型溝の口の大きさを調節することを特徴とする車用芳香剤ケース。
【請求項２】
前記円溝の左側に位置する前記芳香剤機構はまた前記昇降溝の上端壁に位置している回転溝を含み、前記回転溝の後端壁の中には磁性溝が設けられ、前記磁性溝の左右端壁には定位磁石が対称的に設けられ、前記磁性溝の後端壁には前端が前記回転溝の中に位置している回転軸が回転できるように設けられ、前記磁性溝の中の回転軸には移動磁石が固定的に設けられ、前記回転軸の前端には中空ブロックが固定的に設けられ、前記中空ブロックの上端面には開け溝が設けられ、前記中空ブロックの中には下方に開口した振り溝が設けられ、前記振り溝の後端壁には支え軸が回転できるように設けられ、前記支え軸には下端が前記昇降溝の中に位置している振りロッドが固定的に設けられ、前記振りロッドと前記昇降ロッドとが中間軸により回転できるように連結され、前記円溝の右側にも前記芳香剤機構が対応的に設置され、また、前記開け溝を押し、前記移動磁石を右側の定位磁石の吸引から離脱させ、かつ前記移動磁石を左側の定位磁石に吸引させることができることを特徴とする請求項１に記載の車用芳香剤ケース。
【請求項３】
前記芳香剤ケースの下側にはスタンドが設けられ、前記芳香剤ケースの中には下方に開口した底部溝が設けられ、前記スタンドの上端が前記底部溝の中に位置しており、前記スタンドの下端面にはゴム環が固定的に設けられ、前記スタンドの中には移動溝が左右に対称的に設けられ、左側の前記移動溝の右端面には三つの圧力バネが均一に固定的に設けられ、三つの前記圧力バネの左端には一つのＵ型ロッドが固定的に設けられ、前記底部溝の端壁にはリング溝が設けられ、前記底部溝の中のＵ型ロッドの左端が前記リング溝の中に位置しており、また、同時に左右側のＵ型ロッドを押し、前記スタンドを前記底部溝から取り出すことができることを特徴とする請求項１に記載の車用芳香剤ケース。
【手続補正２】
【補正対象書類名】明細書
【補正対象項目名】全文
【補正方法】変更
【補正の内容】
【発明の詳細な説明】
【技術分野】
【０００１】
本発明は車分野を取り上げて、具体的には車用芳香剤ケースである。
【背景技術】
【０００２】
車用芳香剤ケースは車内の空気を調節する道具であり、良い車用芳香剤ケースは良い運転の雰囲気を作ることができて運転者の気分を調節し、しかし現有のほとんどの車用芳香剤ケースの匂いが単一であり、長時間に使用した後に飽きやすく、また現有のほとんどの車用芳香剤ケースが使い捨て商品であり、比較的に浪費である。
【先行技術文献】
【特許文献】
【０００３】
【特許文献１】中国特許出願公開第１０７２８４１９５号明細書
【発明の概要】
【発明が解決しようとする課題】
【０００４】
本発明の目的は車用芳香剤ケースを提供し、それは上記の現在の技術中の問題を解決できる。
【課題を解決するための手段】
【０００５】
上記の課題を解決するため、本発明は以下の技術プランを採用する。
【０００６】
本発明の車用芳香剤ケースは、芳香剤ケースを含み、前記芳香剤ケースの中には上方に開口した円溝が設けられ、前記円溝の中には濃度機構が設けられ、前記濃度機構は前記円溝の左右端壁の中に位置している二つの弧形溝を含み、二つの前記弧形溝が前記円溝に関して左右に対称であり、前記弧形溝の中には弧形ブロックがスライドできるように設けられ、前記弧形ブロックのうち前記円溝に近接している端面にはもう一端が前記円溝の中に位置している細ロッドが固定的に連結され、二つの前記細ロッドの間には一つの調節軸が固定的に設けられ、前記調節軸の下端には円盤が固定され、前記円盤の中には六つの前記円盤の上下端面を貫通する通気溝が均一に分布され、前記調節軸の上端面には蓋が固定され、前記蓋の中には六つの前記蓋の上下端面を貫通する香り溝が左右に対称的に均一に分布され、前記蓋の上端面の右側には調節ロッドが固定され、前記円溝の左右端壁の中には指示ブロックが対称的に植設され、前記濃度機構を中心に六つの芳香剤機構が排列され、前記円溝の左側に位置する前記芳香剤機構は前記芳香剤ケースの中に位置しており、かつ下方に開口した保存溝を含み、前記保存溝の上端壁にはねじ山ブロックが固定的に設けられ、前記ねじ山ブロックには芳香剤ボトルがねじ山によって係合され、前記芳香剤ボトルの中には芳香剤溝が設けられ、前記芳香剤ボトルの右端壁には前記芳香剤溝に連通しているガイドパイプが植設され、前記保存溝の右端壁には前記ガイドパイプに連通しているソフトパイプが固定的に設けられ、前記ソフトパイプのもう一端と前記通気溝とがＬ型溝によって連通され、前記保存溝の上端壁には上方に開口した昇降溝が設けられ、前記昇降溝の中には下端が前記芳香剤溝の中に位置している昇降ロッドが設けられ、前記昇降ロッドの下端には前記芳香剤溝とスライドできるように連結された密封ブロックが固定的に設けられ、前記円溝の右側にも前記芳香剤機構が対応的に設置され、また、前記調節ロッドを押し、前記調節ロッドが前記蓋を回転連動させることができ、これにより通気溝を回転連動させ、前記Ｌ型溝の口の大きさを調節する。
【０００７】
有益的には、前記円溝の左側に位置する前記芳香剤機構はまた前記昇降溝の上端壁に位置している回転溝を含み、前記回転溝の後端壁の中には磁性溝が設けられ、前記磁性溝の左右端壁には定位磁石が対称的に設けられ、前記磁性溝の後端壁には前端が前記回転溝の中に位置している回転軸が回転できるように設けられ、前記磁性溝の中の回転軸には移動磁石が固定的に設けられ、前記回転軸の前端には中空ブロックが固定的に設けられ、前記中空ブロックの上端面には開け溝が設けられ、前記中空ブロックの中には下方に開口した振り溝が設けられ、前記振り溝の後端壁には支え軸が回転できるように設けられ、前記支え軸には下端が前記昇降溝の中に位置している振りロッドが固定的に設けられ、前記振りロッドと前記昇降ロッドとが中間軸により回転できるように連結され、前記円溝の右側にも前記芳香剤機構が対応的に設置され、また、前記開け溝を押し、前記移動磁石を右側の定位磁石の吸引から離脱させ、かつ前記移動磁石を左側の定位磁石に吸引させることができる。
【０００８】
有益的には、前記芳香剤ケースの下側にはスタンドが設けられ、前記芳香剤ケースの中には下方に開口した底部溝が設けられ、前記スタンドの上端が前記底部溝の中に位置しており、前記スタンドの下端面にはゴム環が固定的に設けられ、前記スタンドの中には移動溝が左右に対称的に設けられ、左側の前記移動溝の右端面には三つの圧力バネが均一に固定的に設けられ、三つの前記圧力バネの左端には一つのＵ型ロッドが固定的に設けられ、前記底部溝の端壁にはリング溝が設けられ、前記底部溝の中のＵ型ロッドの左端が前記リング溝の中に位置しており、また、同時に左右側のＵ型ロッドを押し、前記スタンドを前記底部溝から取り出すことができる。
【発明の効果】
【０００９】
本装置は置くことが簡単で、異なる種類と匂いの芳香剤を保存でき、またいつでも変えることができ、またはいくつかの芳香剤を使って匂いを混合させることもでき、使用者の嗅覚の楽しみを増え、また芳香剤が発揮する濃度を調節でき、異なる使用者の嗅覚感度に対応でき、芳香剤を使い切った後、楽に変えることができ、装置の使用寿命を延ばす。
【図面の簡単な説明】
【００１０】
以下、図１−５を合わせて本発明について詳しく説明し、また、説明の便利を図るため、下記に記載の上下左右前後方向が図１自身の投影関係の上下左右前後方向と一致することにする。
【００１１】
【図１】図１は本発明の車用芳香剤ケースの全体断面構成略図
【図２】図２は本発明の車用芳香剤ケースの昇降ロッドの構成略図
【図３】図３は本発明の車用芳香剤ケースの全体の上面構成略図
【図４】図４は本発明の車用芳香剤ケースの中空ブロックの上面断面構成略図
【図５】図５は本発明の車用芳香剤ケースのの細ロッドの上面断面部分構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１−５を参照し、本発明の車用芳香剤ケースは、芳香剤ケース１０を含み、前記芳香剤ケース１０の中には上方に開口した円溝４６が設けられ、前記円溝４６の中には濃度機構６１が設けられ、前記濃度機構６１は前記円溝４６の左右端壁の中に位置している二つの弧形溝１１を含み、二つの前記弧形溝１１が前記円溝４６に関して左右に対称であり、前記弧形溝１１の中には弧形ブロック１２がスライドできるように設けられ、前記弧形ブロック１２のうち前記円溝４６に近接している端面にはもう一端が前記円溝４６の中に位置している細ロッド１８が固定的に連結され、二つの前記細ロッド１８の間には一つの調節軸１５が固定的に設けられ、前記調節軸１５の下端には円盤２０が固定され、前記円盤２０の中には六つの前記円盤２０の上下端面を貫通する通気溝１９が均一に分布され、前記調節軸１５の上端面には蓋１４が固定され、前記蓋１４の中には六つの前記蓋１４の上下端面を貫通する香り溝１３が左右に対称的に均一に分布され、前記蓋１４の上端面の右側には調節ロッド１６が固定され、前記円溝４６の左右端壁の中には指示ブロック１７が対称的に植設され、前記濃度機構６１を中心に六つの芳香剤機構６０が排列され、前記円溝４６の左側に位置する前記芳香剤機構６０は前記芳香剤ケース１０の中に位置しており、かつ下方に開口した保存溝２２を含み、前記保存溝２２の上端壁にはねじ山ブロック３８が固定的に設けられ、前記ねじ山ブロック３８には芳香剤ボトル４５がねじ山によって係合され、前記芳香剤ボトル４５の中には芳香剤溝４４が設けられ、前記芳香剤ボトル４５の右端壁には前記芳香剤溝４４に連通しているガイドパイプ４２が植設され、前記保存溝２２の右端壁には前記ガイドパイプ４２に連通しているソフトパイプ２１が固定的に設けられ、前記ソフトパイプ２１のもう一端と前記通気溝１９とがＬ型溝２３によって連通され、前記保存溝２２の上端壁には上方に開口した昇降溝３９が設けられ、前記昇降溝３９の中には下端が前記芳香剤溝４４の中に位置している昇降ロッド４１が設けられ、前記昇降ロッド４１の下端には前記芳香剤溝４４とスライドできるように連結された密封ブロック４３が固定的に設けられ、前記円溝４６の右側にも前記芳香剤機構６０が対応的に設置され、また、前記調節ロッド１６を押し、前記調節ロッド１６が前記蓋１４を回転連動させることができ、これにより通気溝１９を回転連動させ、前記Ｌ型溝２３の口の大きさを調節する。
【００１４】
有益的には、前記円溝４６の左側に位置する前記芳香剤機構６０はまた前記昇降溝３９の上端壁に位置している回転溝３７を含み、前記回転溝３７の後端壁の中には磁性溝４８が設けられ、前記磁性溝４８の左右端壁には定位磁石４９が対称的に設けられ、前記磁性溝４８の後端壁には前端が前記回転溝３７の中に位置している回転軸４７が回転できるように設けられ、前記磁性溝４８の中の回転軸４７には移動磁石５０が固定的に設けられ、前記回転軸４７の前端には中空ブロック３６が固定的に設けられ、前記中空ブロック３６の上端面には開け溝３４が設けられ、前記中空ブロック３６の中には下方に開口した振り溝３３が設けられ、前記振り溝３３の後端壁には支え軸３５が回転できるように設けられ、前記支え軸３５には下端が前記昇降溝３９の中に位置している振りロッド３２が固定的に設けられ、前記振りロッド３２と前記昇降ロッド４１とが中間軸４０により回転できるように連結され、前記円溝４６の右側にも前記芳香剤機構６０が対応的に設置され、また、前記開け溝３４を押し、前記移動磁石５０を右側の定位磁石４９の吸引から離脱させ、かつ前記移動磁石５０を左側の定位磁石４９に吸引させることができる。
【００１５】
有益的には、前記芳香剤ケース１０の下側にはスタンド２６が設けられ、前記芳香剤ケース１０の中には下方に開口した底部溝２５が設けられ、前記スタンド２６の上端が前記底部溝２５の中に位置しており、前記スタンド２６の下端面にはゴム環２９が固定的に設けられ、前記スタンド２６の中には移動溝２８が左右に対称的に設けられ、左側の前記移動溝２８の右端面には三つの圧力バネ２７が均一に固定的に設けられ、三つの前記圧力バネ２７の左端には一つのＵ型ロッド３０が固定的に設けられ、前記底部溝２５の端壁にはリング溝２４が設けられ、前記底部溝２５の中のＵ型ロッド３０の左端が前記リング溝２４の中に位置しており、また、同時に左右側のＵ型ロッド３０を押し、前記スタンド２６を前記底部溝２５から取り出すことができる。
【００１６】
以下、図１−５及び上記説明した車用芳香剤ケースの具体的な構成を参照し、本申請の車用芳香剤ケースの使用方法を説明する：初期状態では、密封ブロック４３の下側の芳香剤溝４４の中には違う芳香剤が保存されている。
【００１７】
装置を車内の涼しいところに置き、開け溝３４を押し、中空ブロック３６を回転連動させることができ、前記移動磁石５０を一つの定位磁石４９の吸引から離脱させ、かつ前記移動磁石５０をもう一つの定位磁石４９に吸引させ、中空ブロック３６が振りロッド３２を振り連動させ、これにより昇降ロッド４１を上昇連動させ、ガイドパイプ４２を密封ブロック４３の下側の芳香剤溝４４に連通させ、芳香剤が自ら揮発し、Ｌ型溝２３と通気溝１９とを通して車内に漂い、調節ロッド１６を押して円盤２０を回転連動させることができ、これによりＬ型溝２３の口の大きさを調節でき、芳香剤が発揮する量を調節できる。
【００１８】
芳香剤が使い切った時に、同時に左右側のＵ型ロッド３０を押し、Ｕ型ロッド３０をリング溝２４から離れさせ、スタンド２６を底部溝２５から取り出し、そしてガイドパイプ４２をソフトパイプ２１から抜き出し、芳香剤ボトル４５を回し、芳香剤ボトル４５をねじ山ブロック３８から取り外し、芳香剤溝４４の中に芳香剤を入れることができる。
【００１９】
本発明の有益効果は：本装置は置くことが簡単で、異なる種類と匂いの芳香剤を保存でき、またいつでも変えることができ、またはいくつかの芳香剤を使って匂いを混合させることもでき、使用者の嗅覚の楽しみを増え、また芳香剤が発揮する濃度を調節でき、異なる使用者の嗅覚感度に対応でき、芳香剤を使い切った後、楽に変えることができ、装置の使用寿命を延ばす。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。